(57)【要約】【課題】有限系光学系の光ピックアップ装置においてもオートコリメータを用いて立ち上げミラーの調整を可能にする。【解決手段】光源１とその光源１から出射された光の方向を変更する立ち上げミラー２とを備え、有限系の光学系３で構成された光ピックアップ装置４の立ち上げミラー２の調整方法である。立ち上げミラー２の調整用治具５とコリメータレンズ６とオートコリメータ７とを用い、調整用治具５に光ピックアップ装置４を取り付け、立ち上げミラー２が所定の位置に調整されたときにコリメータレンズ６からの出射光が平行光になるように調整用治具５にコリメータレンズ６を取り付け、コリメータレンズ６からの出射光が平行になるようオートコリメータ７を用いて立ち上げミラー２を調整する。【選択図】        図１
2005044441.tif 000002
【特許請求の範囲】
【請求項１】
光源とその光源から出射された光の方向を変更する立ち上げミラーとを備え、有限系の光学系で構成された光ピックアップ装置の立ち上げミラーの調整方法であって、前記立ち上げミラーの調整用治具とコリメータレンズとオートコリメータとを用い、前記調整用治具に前記光ピックアップ装置を取り付け、前記立ち上げミラーが所定の位置に調整されたときに前記コリメータレンズからの出射光が平行光になるように前記調整用治具に前記コリメータレンズを取り付け、前記コリメータレンズからの出射光が平行になるよう前記オートコリメータを用いて前記立ち上げミラーを調整することを特徴とする立ち上げミラーの調整方法。
【請求項２】
前記光源は、ＤＶＤの記録再生用の光源であることを特徴とする請求項１記載の立ち上げミラーの調整方法。
【請求項３】
請求項１又は２記載の立ち上げミラーの調整方法を用いて立ち上げミラーを調整したことを特徴とする光ピックアップ装置。
【発明の詳細な説明】
【技術分野】
【０００１】
本発明は、立ち上げミラーの調整方法およびこれを用いた光ピックアップ装置に関する。さらに詳述すると、本発明は、コリメータレンズを使用しない有限系光学系の光ピックアップ装置であって立ち上げミラーを備えるものについての立ち上げミラーの調整方法、およびこの方法によって立ち上げミラーを調整する光ピックアップ装置に関するものである。
【背景技術】
【０００２】
光ピックアップ装置として、光源から出射された光を立ち上げミラー（ＲＭ）によって全反射させた後、コリメータレンズによって平行光にし、その平行光を集光レンズによって集光させる無限系の光学系のものがある。かかるタイプの光ピックアップ装置では、立ち上げミラーによって全反射された平行光（立ち上げ光）をオートコリメータで観察し、立ち上げ光の光軸が集光レンズの光軸に一致するように立ち上げミラーの位置や角度を調整している。
【０００３】
なお、コリメータレンズを備える無限系の光学系の光ピックアップ装置において、立ち上げミラーの調整を行うものとしては、特開２０００−２５１３１０号公報に開示された技術がある。
【０００４】
【特許文献１】特開２０００−２５１３１０号公報
【発明の開示】
【発明が解決しようとする課題】
【０００５】
ところで近年、ＤＶＤの普及などにより、光ピックアップ装置として、立ち上げミラーを備える光学系であってコリメータレンズを使用しない有限系の光学系のものの採用が検討されている。
【０００６】
しかしながら、コリメータレンズを使用しない有限系光学系の光ピックアップ装置では、上述の無限系光学系の光ピックアップ装置と同じ方法で立ち上げミラーの調整を行うことができなかった。即ち、有限系光学系の光ピックアップ装置では、コリメータレンズを使用していないので立ち上げミラーで全反射させて立ち上げた光（立ち上げ光）を平行光にする手段がなく、したがって、そのままではオートコリメータを用いて立ち上げミラーの調整を行うことができなかった。このため、有限系光学系の光ピックアップ装置においても、無限系光学系の光ピックアップ装置と同様に、オートコリメータを用いて立ち上げミラーの調整を行う技術の開発が要請されていた。
【０００７】
本発明は、有限系光学系の光ピックアップ装置においてもオートコリメータを用いて立ち上げミラーの調整が可能な立ち上げミラーの調整方法を提供することを目的とする。また、かかる方法を用いて立ち上げミラーを調整した光ピックアップ装置を提供することをも目的とする。
【課題を解決するための手段】
【０００８】
かかる目的を達成するために請求項１記載の発明は、光源とその光源から出射された光の方向を変更する立ち上げミラーとを備え、有限系の光学系で構成された光ピックアップ装置の立ち上げミラーの調整方法であって、立ち上げミラーの調整用治具とコリメータレンズとオートコリメータとを用い、調整用治具に光ピックアップ装置を取り付け、立ち上げミラーが所定の位置に調整されたときにコリメータレンズからの出射光が平行光になるように調整用治具にコリメータレンズを取り付け、コリメータレンズからの出射光が平行になるようオートコリメータを用いて立ち上げミラーを調整するものである。
【０００９】
したがって、調整用治具に光ピックアップ装置を取り付けると、調整用治具に予め取り付けられていたコリメータレンズが光ピックアップ装置の立ち上げミラーの正面に位置する。このため、立ち上げミラーによって反射された立ち上げ光がコリメータレンズを通過し、平行光になる。
【００１０】
コリメータレンズは、立ち上げミラーの取り付け角度や位置が正確な場合に当該コリメータレンズの通過光（出射光）が平行光としてオートコリメータに観察されるように調整されて取り付けられている。この通過光をオートコリメータで観察しながら、通過光が平行光になるように立ち上げミラーの角度や位置を調整する。即ち、コリメータレンズの通過光が平行光になるようにオートコリメータを用いて観察しながら立ち上げミラーの位置や角度を調整することができる。
【００１１】
また、請求項２記載の立ち上げミラーの調整方法は、光源が、ＤＶＤの記録再生用の光源である。即ち、ＤＶＤ用光ピックアップ装置の立ち上げミラーを調整することができる。
【００１２】
さらに、請求項３記載の光ピックアップ装置は、請求項１又は２記載の立ち上げミラーの調整方法を用いて立ち上げミラーを調整したものである。したがって、請求項１又は２記載の立ち上げミラーの調整方法によって調整された立ち上げミラーを有する光ピックアップ装置が提供される。
【発明の効果】
【００１３】
しかして、請求項１記載の立ち上げミラーの調整方法によると、有限系光学系の光ピックアップ装置においてもオートコリメータを用いて立ち上げミラーの角度や位置を調整することができる。即ち、コリメータレンズを備えていない有限系光学系の光ピックアップ装置であっても、コリメータレンズを備えている無限系光学系の光ピックアップ装置と同様に立ち上げミラーの角度や位置を調整することができる。オートコリメータを用いて立ち上げミラーの角度や位置を調整する方法は無限系光学系の光ピックアップ装置について長年の使用実績があり、作業者が習熟しており、作業性や信頼性に優れている。本発明では、このように優れた方法を有限系光学系の光ピックアップ装置についても使用することができる。また、立ち上げミラーの調整のために専用の高価な測定機器を準備する必要がなく、コスト増を抑えることができる。
【００１４】
特に、請求項２記載の立ち上げミラーの調整方法では、ＤＶＤ用の光ピックアップ装置について立ち上げミラーの調整を行うことができる。
【００１５】
また、請求項３記載の光ピックアップ装置では、上述の方法で立ち上げミラーの角度や位置を調整したものを得ることができる。
【発明を実施するための最良の形態】
【００１６】
以下、本発明の構成を図面に示す最良の形態に基づいて詳細に説明する。
【００１７】
図１〜図７に、本発明を適用した光ピックアップ装置およびその立ち上げミラーの調整方法の実施形態の一例を示す。この立ち上げミラーの調整方法は、光源１とその光源１から出射された光の方向を変更する立ち上げミラー２とを備え、有限系の光学系３で構成された光ピックアップ装置４の立ち上げミラー２の調整方法である。立ち上げミラー２の調整用治具５とコリメータレンズ６とオートコリメータ７とを用い、調整用治具５に光ピックアップ装置４を取り付け、立ち上げミラー２が所定の位置に調整されたときにコリメータレンズ６からの出射光が平行光になるように調整用治具５にコリメータレンズ６を取り付け、コリメータレンズ６からの出射光が平行になるようオートコリメータ７を用いて立ち上げミラー２を調整するものである。
【００１８】
光ピックアップ装置４のフレーム４ａには、例えば光源１と、ハーフミラー８と、立ち上げミラー２が取り付けられている。光源１は、例えばＤＶＤの記録再生用の光源であり、例えばレーザーダイオードである。ハーフミラー８と立ち上げミラー２はフレーム４ａの裏面に取り付けられている。光源１からハーフミラー８に向けて照射された光は立ち上げミラー２に向けて反射され、立ち上げミラー２によって全反射された後、孔４ｂを通過してフレーム４ａの表側に進み、フレーム４ａに対してほぼ垂直に立ち上げられる。
【００１９】
調整用治具５は、図２〜図５に示すように、光ピックアップ装置４を取り付ける台座９と、コリメータレンズ６を取り付けるレンズ側治具１０を備えている。なお、図５ではオートコリメータ７の記載を省略している。台座９には一対のロッド１１，１２が設けられており、各ロッド１１，１２を光ピックアップ装置４の孔４ｃと切り欠き４ｄに通しながら光ピックアップ装置４を度当たりするまで奥に移動させることで、台座９に対して光ピックアップ装置４を所定の位置に正確に位置決めしながら取り付けることができる。
【００２０】
レンズ側治具１０はコリメータレンズ６を支持するもので、コリメータレンズ６の角度を調整するためのチルト調整機構１３、コリメータレンズ６の位置を調整するための上下調整機構１４および左右調整機構１５を有している。また、台座９に対して光ピックアップ装置４の取り付け、取り外しを行う際、レンズ側治具１０が邪魔にならないようにするために、レンズ側治具１０には退避機構１６が設けられている。
【００２１】
具体的に説明すると、レンズ側治具１０は、台座９との位置関係が正確に位置決めされたベース１７と、ベース１７に連結されたアーム１８と、アーム１８の先端に連結ブロック１９を介して連結された取付部２０を備えている。アーム１８は、ベース１７に対して図中矢印で示す方向に回転可能に接続されている。このベース１７に対してアーム１８を回転させる機構が退避機構１６である。
【００２２】
アーム１８の先端は水平方向に直角に曲げられている。連結ブロック１９は、アーム１８の先端に上下方向にスライド可能に取り付けられている。調整ねじ２１のねじ込み量を増減することで、連結ブロック１９の取付位置を上下方向に変化させて調整することができる。この調整機構が上下調整機構１４である。
【００２３】
取付部２０は、連結ブロック１９に左右方向にスライド可能に取り付けられている。調整ねじ２２のねじ込み量を増減することで、取付部２０の取付位置を左右方向に変化させて調整することができる。この調整機構が左右調整機構１５である。
【００２４】
取付部２０の底面には、例えば図３に示すコリメータレンズホルダ２３が取り付けられている。コリメータレンズホルダ２３はコリメータレンズ６を支持するもので、例えば４本のねじ２４によって取付部２０に取り付けられている。各ねじ２４のねじ込み量をそれぞれ増減することで、コリメータレンズホルダ２３の傾きを変化させて調整することができる。この調整機構がチルト調整機構１３である。
【００２５】
レンズ側治具１０の退避機構１６によって取付部２０を上に持ち上げ、光ピックアップ装置４を台座９に取り付けると、光ピックアップ装置４はオートコリメータ７の下に水平に配置される。そして、退避機構１６によって取付部２０を下に降ろすと、コリメータレンズ６が立ち上げミラー２の取付位置の真上の所定位置に配置される。このコリメータレンズ６の位置は、予め基準を出した基準ピックアップを使用して正確に合わせてある。即ち、基準ピックアップを台座９に取り付けた場合に、立ち上げミラー２によって全反射させた立ち上げ光が平行光としてオートコリメータ７で観察されるように、コリメータレンズ６の角度や位置を調整しておく。コリメータレンズ６の角度はチルト調整機構１３によって調整し、位置は上下調整機構１４と左右調整機構１５によって調整する。
【００２６】
このように基準ピックアップを使用してコリメータレンズ６の角度や位置が予め調整されているので、立ち上げミラー２を調整しようとする光ピックアップ装置（調整対象の光ピックアップ装置）４を台座９に取り付け、レンズ側治具１０の取付部２０を降ろしてコリメータレンズ６を光ピックアップ装置４に対向させるだけで、立ち上げミラー２の調整作業を開始することができ、オートコリメータ７を使用して立ち上げミラー２の調整を正確に行うことができる。
【００２７】
また、レンズ側治具１０には退避機構１６が設けられているので、光ピックアップ装置４の台座９への取り付け、取り外し時にレンズ側治具１０が邪魔にならないようにすることができ、作業性に優れている。
【００２８】
なお、立ち上げミラー２を調整した後、光ピックアップ装置４を台座９から取り外し、孔４ｂ上に図示しない対物レンズを保持するレンズホルダを取り付けて光ピックアップ装置４を完成する。尚、レンズホルダは上下方向に移動可能になっている。
【００２９】
本実施形態では、立ち上げミラー２の調整に、例えば図５に示すような作業治具２５を使用する。作業治具２５は、立ち上げミラー２を支持するのに十分な剛性を有するチューブ２６を備えている。チューブ２６内はエア通路２７を介して図示しない負圧源に接続されており、チューブ２６の先端に立ち上げミラー２を吸着保持することができる。また、チューブ２６が取り付けられているスライド部２８は、レバー３５の操作によって図５中矢印Ｚ方向にスライド可能になっている。さらに、図６に示すように、チューブ２６の基端は球状になっており、スライド部２８に対するチューブ２６の角度を調整することできる。
【００３０】
チューブ２６によって立ち上げミラー２を吸着した状態で、レーザー駆動用電源２９が接続されている光源１を発光させると、光源１から出射された光がハーフミラー８によって反射され、立ち上げミラー２に照射される。立ち上げミラー２によって全反射された光はフレーム４ａの孔４ｂからコリメータレンズ６に入射し、コリメータレンズ６を通過してオートコリメータ７によって観察される。このとき、オートコリメータ７によって観察される光が平行光になるように、立ち上げミラー２の角度や位置を調整する。作業治具２５のチューブ２６の角度を変化させたり、チューブ２６を図中矢印Ｚ方向に動かすことで立ち上げミラー２の角度や位置を調整することができる。ここで、チューブ２６は、図５中矢印Ｘ方向および紙面垂直方向であるＹ方向に角度の調整され、それによって、立ち上げミラー２の傾き調整がおこなわれることとなる。
【００３１】
立ち上げミラー２の調整後、ＵＶ（紫外線）接着剤を立ち上げミラー２とフレーム４ａの間に塗布し、ＵＶ照射管３０を使用して紫外線を照射し、接着剤を固めて立ち上げミラー２を固定する。これによって立ち上げミラー２の接着が完了する。
【００３２】
図７に示すように、コリメータレンズ６を立ち上げミラー２の上方の所定位置（光源１の発光点からコリメータレンズ６の主点までの距離がコリメータレンズ６の焦点距離になる位置）に配置することで、コリメータレンズ６からの出射光が略コリメート光（平行光）になる。この出射光をオートコリメータ７で観察しながら立ち上げミラー２の角度や位置を調整する。即ち、コリメートレンズ６の出射光が平行光になるように、かつ強度ピークがコリメートレンズ６の中心にくるように立ち上げミラー２を調整することができる。
【００３３】
コリメータレンズ６からの出射光をオートコリメータ７で観察しながら立ち上げミラー２の角度や位置を調整する方法は、無限系光学系の光ピックアップ装置で使用されており、長年の使用実績がある。このため、作業者はこの方法に習熟しており、作業性や信頼性に優れた方法である。本発明は、このように優れた方法を有限系光学系３の光ピックアップ装置４についても使用できるようにしたものである。また、無限系光学系の光ピックアップ装置の場合と同様にオートコリメータ７を使用できるので、立ち上げミラー２の調整のために高価な専用測定機器を準備する必要がなく、コストの増加を抑えることができる。
【００３４】
また、本発明の光ピックアップ装置４は、上述の立ち上げミラー２の調整方法を用いて立ち上げミラー２を調整したものである。
【００３５】
なお、上述の形態は本発明の好適な形態の一例ではあるがこれに限定されるものではなく本発明の要旨を逸脱しない範囲において種々変形実施可能である。例えば、上述の説明では、レンズ側治具１０の退避機構１６は、ベース１７に対してアーム１８を回転させることでレンズ側治具１０を邪魔にならない位置に退避させる構造であったが、これに限るものではない。例えば、レンズ側治具１０を邪魔にならない位置までスライドさせることで退避させる構造であっても良い。
【００３６】
また、調整用治具５に対して光ピックアップ装置４を取り付ける際、立ち上げミラー２が上になるようにしても良い。その一例を図８から図１０に示す。この場合、立ち上げミラー２によって全反射された光をオートコリメータ７に向けて反射させるミラー３１が設けられている。レンズ側治具１０の台座９に対して光ピックアップ装置４を取り付けた後、止めピン３２を使用して光ピックアップ装置４の外れを防止している。なお、図８から図１０では、ハーフミラー８や孔４ｂの記載を省略している。
【００３７】
この例においても作業治具２５を用いて立ち上げミラー２の角度や位置を調整する。チューブ２６によって立ち上げミラー２を吸着した状態で、レーザー駆動用電源２９が接続されている光源１を発光させると、光源１から出射された光がハーフミラー８（図示省略）によって反射され、立ち上げミラー２に照射される。立ち上げミラー２によって全反射された光はフレーム４ａの孔４ｂ（図示省略）を通ってコリメータレンズ６に入射し、コリメータレンズ６を通過した後、ミラー３１によってオートコリメータ７に向けて反射され、オートコリメータ７によって観察される。このとき、オートコリメータ７によって観察される光が平行光になるように、立ち上げミラー２の角度や位置を調整する点は上述の場合と同様である。
【００３８】
立ち上げミラー２の調整後、ＵＶ接着剤を立ち上げミラー２とフレーム４ａの間に塗布し、ＵＶ照射管３０を使用して紫外線を照射し、接着剤を固めて立ち上げミラー２を固定する。これによって立ち上げミラー２の接着が完了する。立ち上げミラー２が上になるように光ピックアップ装置４が取り付けられているので、ＵＶ接着剤を塗布するための作業空間を広く確保することができ、作業し易く作業性をさらに向上させることができる。
【００３９】
また、上述の説明では、コリメータレンズホルダ２３を取り付けるためのレンズ側治具１０を備えていたが、レンズ側治具１０を省略しても良い。その一例を図１１に示す。光ピックアップ装置４を台座９に取り付けることで、光ピックアップ装置４と台座９とでコリメータレンズホルダ２３を挟んで保持することができる。この場合、フレーム４ａとコリメータレンズホルダ２３との間、又は台座９とコリメータレンズホルダ２３との間にずれ防止位置決め手段を設けておくことが好ましい。ずれ防止位置決め手段としては、例えば互いにぴったりと嵌り合う凹凸が考えられる。即ち、一方の部材に凹部を、他方の部材に凸部をそれぞれ形成し、凹部と凸部を嵌め合わすことで、コリメータレンズホルダ２３のずれを防止できると共に、光ピックアップ装置４に対してコリメータレンズ６を正確に位置決めすることができる。なお、フレーム４ａとコリメータレンズホルダ２３との間、台座９とコリメータレンズホルダ２３との間の両方にずれ防止位置決め手段を設けても良い。
【００４０】
さらに、図１１のようなコリメータレンズホルダ２３を挟んで保持する構造ではなくても、例えば図１２に示すように、コリメータレンズホルダ２３を光ピックアップ装置４のフレーム４ａに嵌め込むようにしても良い。また、例えば図１３に示すように、コリメータレンズホルダ２３を光ピックアップ装置４のフレーム４ａに嵌め込むと共に、ばね３３を介在させて治具３４によって押し付けるようにしても良い。これらの場合にも、光ピックアップ装置４に対してコリメータレンズ６を正確に位置決めすることができる。
【図面の簡単な説明】
【００４１】
【図１】本発明を適用した立ち上げミラーの調整方法の実施形態の一例を示す斜視図である。
【図２】調整用治具のレンズ側治具を示す斜視図である。
【図３】コリメータレンズホルダを示す斜視図である。
【図４】光ピックアップ装置を調整用治具にセットした様子を示す概略構成図である。
【図５】光ピックアップ装置を調整用治具にセットして立ち上げミラーを調整している様子を示す概略構成図である。
【図６】作業治具のチューブの取付構造を示す断面図である。
【図７】立ち上げミラー調整時の光線の様子を示す図である。
【図８】調整用治具の第１の変形例を示し、光ピックアップ装置をセットした様子を示す概略構成図である。
【図９】調整用治具の第１の変形例を示し、光ピックアップ装置をセットして立ち上げミラーを調整している様子を示す概略構成図である。
【図１０】図９の矢印Ａ方向からみた場合の光線の様子を示す図である。
【図１１】調整用治具の第２の変形例を示し、光ピックアップ装置をセットして立ち上げミラーを調整している様子を示す概略構成図である。
【図１２】調整用治具の第３の変形例を示す断面図である。
【図１３】調整用治具の第４の変形例を示す断面図である。
【符号の説明】
【００４２】
１  光源
２  立ち上げミラー
３  有限系の光学系
４  光ピックアップ装置
５  調整用治具
６  コリメータレンズ
７  オートコリメータ
【図１】
2005044441.tif 000003
【図２】
2005044441.tif 000004
【図３】
2005044441.tif 000005
【図４】
2005044441.tif 000006
【図５】
2005044441.tif 000007
【図６】
2005044441.tif 000008
【図７】
2005044441.tif 000009
【図８】
2005044441.tif 000010
【図９】
2005044441.tif 000011
【図１０】
2005044441.tif 000012
【図１１】
2005044441.tif 000013
【図１２】
2005044441.tif 000014
【図１３】
2005044441.tif 000015